(57)【要約】      （修正有）【課題】  扉を前方へ引出すときの左右方向のガタツキを引出操作性の低下を招くことなく抑制すること。【解決手段】  貯蔵室内にはサポートが前後方向へスライド可能に装着されている。このサポートは扉を支持するものであり、サポートの後端部には右ガイド部３８および左ガイド部３９が設けられている。これら右ガイド部３８および左ガイド部３９は扉の開閉に拘らず右レール部４０の右方および左レール部４１の左方に非接触状態で対向するものであり、扉を前方へ引出すときの左右方向のガタツキは右ガイド部３８および左ガイド部３９が右レール部４０および左レール部４１に接触することで抑制される。しかも、扉が前方へ移動することに応じて右ガイド部３８および右レール部４０間の離間寸法が狭まり、左ガイド部３９および左レール部４１間の離間寸法が狭まる。このため、扉の引出開始時に操作方向が左右に微妙にずれた程度では右ガイド部３８が右レール部４０に接触せず、左ガイド部３９が左レール部４１に接触しないので、扉の引出操作性の低下が防止される。【選択図】  図２
2006177639.tif 000002
【特許請求の範囲】
【請求項１】
前面が開口する貯蔵室と、
前記貯蔵室内に前後方向へ移動可能に設けられ、貯蔵容器を支えるサポートと、
前記サポートに設けられ、前記サポートと共に前後方向へ移動することに基いて前記貯蔵室の前面を開閉する扉と、
前記サポートに設けられた左ガイド部および右ガイド部と、
前記貯蔵室の底板に設けられ、前記左ガイド部および前記右ガイド部が前記扉の開閉に拘らず側方から対向するように前後方向へ延びる左レール部および右レール部とを備え、
前記左ガイド部および前記左レール部間の離間寸法は、前記扉が前方へ移動することに応じて狭まり、
前記右ガイド部および前記右レール部間の離間寸法は、前記扉が前方へ移動することに応じて狭まる
ことを特徴とする冷蔵庫。
【発明の詳細な説明】
【技術分野】
【０００１】
本発明は、扉を引出操作および押込操作することに基いて貯蔵室の前面を開閉する構成の冷蔵庫に関する。
【背景技術】
【０００２】
上記冷蔵庫には貯蔵容器の下面に左リブおよび右リブを設け、左リブおよび右リブ間の隙間に１本のレールを挿入した構成のものがある。このレールは貯蔵室の底板に設けられたものであり、左リブおよび右リブをレールの左側面および右側面に接触させることに基いて貯蔵容器を前方へ引出すときの左右方向のガタツキを抑制している。
【特許文献１】特開平９−２８０７２７号公報
【発明の開示】
【発明が解決しようとする課題】
【０００３】
上記従来構成の場合、貯蔵容器の引出開始時に操作方向が左右に微妙にずれた程度で左リブおよび右リブがレールの左側面および右側面に接触するので、貯蔵容器のガタツキを抑制できる反面で円滑な引出操作に支障を来たす虞れがある。
【０００４】
本発明は上記事情に鑑みてなされたものであり、その目的は、扉を前方へ引出すときの左右方向のガタツキを引出操作性の低下を招くことなく抑制できる冷蔵庫を提供することにある。
【課題を解決するための手段】
【０００５】
本発明の冷蔵庫は、前面が開口する貯蔵室と、前記貯蔵室内に前後方向へ移動可能に設けられ食品容器を支えるサポートと、前記サポートに設けられ前記サポートと共に前後方向へ移動することに基いて前記貯蔵室の前面を開閉する扉と、前記サポートに設けられた左ガイド部および右ガイド部と、前記貯蔵室の底板に設けられ前記左ガイド部および前記右ガイド部が前記扉の開閉に拘らず側方から対向するように前後方向へ延びる左レール部および右レール部とを備え、前記左ガイド部および前記左レール部間の離間寸法は前記扉が前方へ移動することに応じて狭まり、前記右ガイド部および前記右レール部間の離間寸法は前記扉が前方へ移動することに応じて狭まるところに特徴を有している。
【発明の効果】
【０００６】
扉を前方へ引出すときに引出操作の開始から終了に至るまでサポートの左ガイド部および右ガイド部が左レール部および右レール部に側方から接触することができるので、扉の左右方向のガタツキが引出操作の開始から終了に至るまで抑制される。しかも、扉が前方へ移動することに応じて左ガイド部および左レール部間の離間寸法が狭まり、右ガイド部および右レール部間の離間寸法が狭まる。このため、扉の引出開始時に操作方向が左右に微妙にずれた程度では左ガイド部が左レール部に接触せず、右ガイド部が右レール部に接触しないので、扉の引出操作性の低下が防止される。
【発明を実施するための最良の形態】
【０００７】
【実施例１】
【０００８】
図１のキャビネット１は前面が開口する矩形箱状をなすものであり、図２に示すように、金属製の外箱２および合成樹脂製の内箱３間に断熱材４を充填することから構成されている。このキャビネット１内には、図１に示すように、水平な上仕切板２と水平な中仕切板３と水平な下仕切板４が固定されており、上仕切板２と中仕切板３との間には垂直な縦仕切板５が固定されている。これら上仕切板２〜縦仕切板５は、図２に中仕切板３および縦仕切板５を代表して示すように、中空状をなす合成樹脂製の仕切ケース６内に断熱材７を充填することから構成されたものであり、キャビネット１内には、図１に示すように、上仕切板２の上方に位置して冷蔵室８が形成され、下仕切板４の下方に位置して冷凍室９が形成され、中仕切板３と下仕切板４との間に位置して野菜室１０が形成されている。
【０００９】
キャビネット１内には貯蔵室に相当する製氷室１１が形成されている。この製氷室１１はキャビネット１の左側板と上仕切板２と縦仕切板５と中仕切板３との間に形成された空間部を称するものであり、野菜室１０の上方に配置されている。この製氷室１１の右側には貯蔵室に相当するセレクト室１２が形成されている。このセレクト室１２はキャビネット１の右側板と上仕切板２と縦仕切板５と中仕切板３との間に形成された空間部を称するものであり、野菜室１０の上方に配置されている。
【００１０】
キャビネット１内には冷蔵室８の後方に位置して冷蔵室用エバポレータが配置されており、冷蔵室８内には冷蔵室用エバポレータから冷気が供給される。この冷蔵室８は野菜室ダクトを介して野菜室１０に接続されており、野菜室１０内には冷蔵室８内から野菜室ダクトを通して冷気が供給される。即ち、冷蔵室８および野菜室１０は共通の冷蔵室用エバポレータから冷気が供給されることに基いて冷蔵温度帯域に冷却可能にされている。
【００１１】
キャビネット１内には野菜室１０の後方に位置して冷凍室用エバポレータが配置されており、冷凍室９内には冷凍室用エバポレータから冷気が供給される。この冷凍室９は製氷室ダクトおよびセレクト室ダクトを介して製氷室１１およびセレクト室１２に接続されており、製氷室１１内およびセレクト室１２内には冷凍室９内から製氷室ダクトおよびセレクト室ダクトを通して冷気が供給される。即ち、冷凍室９と製氷室１１とセレクト室１２は共通の冷凍室用エバポレータから冷気が供給されることに基いて冷凍温度帯域に冷却可能にされている。
【００１２】
キャビネット１には冷蔵室扉１３と冷凍室扉１４と野菜室扉１５が装着されている。冷蔵室扉１３は垂直な軸を中心に回動可能にされたものであり、冷蔵室８の前面は冷蔵室扉１３が回動操作されることに基いて開閉される。冷凍室扉１４および野菜室扉１５は前後方向へ移動可能にされたものであり、冷凍室９の前面および野菜室１０の前面は冷凍室扉１４および野菜室扉１５が前後方向へ移動操作されることに基いて開閉される。
【００１３】
キャビネット１には製氷室扉１６およびセレクト室扉１７が装着されている。この製氷室扉１６およびセレクト室扉１７は、図３にセレクト室扉１７を代表して示すように、中空状をなす合成樹脂製の扉ケース１８内に断熱材１９を充填することから構成されたものであり、前後方向へ移動することに基いて製氷室１１の前面およびセレクト室１２の前面を開閉する。これら製氷室扉１６およびセレクト室扉１７は同一の取付構造でキャビネット１に装着されたものであり、以下、製氷室扉１６の取付構造およびセレクト室扉１７の取付構造をセレクト室扉１７を代表して説明する。
【００１４】
キャビネット１には、図２に示すように、合成樹脂製のガイド部材２１が固定されている。このガイド部材２１は前後方向へ直線的に延びるものであり、ガイド部材２１内にはガイド凹部２２が形成されている。このガイド凹部２２の左方にはセレクト室１２内に位置してガイド凹部２３が対向配置されている。このガイド凹部２３は縦仕切板５に形成されたものであり、前後方向へ直線的に延びている。
【００１５】
セレクト室扉１７の後面には、図４に示すように、金属製の右サポート２４および金属製の左サポート２５が固定されている。これら右サポート２４および左サポート２５はいずれも水平な床部２６および垂直な壁部２７を有するものであり、右サポート２４および左サポート２５には合成樹脂製の後サポート２８が固定されている。この後サポート２８は右サポート２４の後端部と左サポート２５の後端部とを連結するものであり、水平な床部２９および垂直な壁部３０を有している。
【００１６】
右サポート２４と左サポート２５と後サポート２８とで囲まれた空間部内には、図２に示すように、貯蔵容器に相当するバスケット３１が収納されており、バスケット３１は右サポート２４の床部２６と左サポート２５の床部２６と後サポート２８の床部２９によって支持されることに基いて垂直方向に位置規制され、右サポート２４の壁部２７と左サポート２５の壁部２７と後サポート２８の壁部３０によって囲まれることに基いて水平方向に位置規制されている。このバスケット３１は食品が投入されるものであり、セレクト室扉１７が前方の開放位置に引出操作されることに基いてセレクト室１７内から引出され、セレクト室扉１７が後方の閉鎖位置に押込操作されることに基いてセレクト室１７内に収納される。即ち、右サポート２４と左サポート２５と後サポート２８は貯蔵容器を支えるサポート３２（図４参照）を構成するものである。
【００１７】
後サポート２８には右スライド部３３および左スライド部３４が形成されている。これら右スライド部３３および左スライド部３４は、図２に示すように、右サポート２４および左サポート２５から右方および左方へ突出する円柱状をなすものであり、ガイド凹部２２内およびガイド凹部２３内にスライド可能に挿入されている。これら右スライド部３３および左スライド部３４はガイド凹部２２の内面およびガイド凹部２３の内面に接触することに基いて右サポート２４のスライド方向および左サポート２５のスライド方向を前後方向に規制するものであり、セレクト室扉１７の開閉に拘らずガイド凹部２２内およびガイド凹部２３内に位置している。即ち、サポート３２はセレクト室１２内に前後方向へ移動可能に装着されたものであり、セレクト室扉１７はサポート３２と一体的に前後方向へ移動することに基いてセレクト室１２の前面を開閉する。
【００１８】
中仕切板３には、図４に示すように、右ローラ３５および左ローラ３６が装着されている。これら右ローラ３５および左ローラ３６はいずれも水平な軸３７を中心に回転可能にされたものであり、セレクト室１２内の前端部に配置されている。これら右ローラ３５上および左ローラ３６上には右サポート２４の床部２６および左サポート２５の床部２６が載置されており、セレクト室扉１７が移動するときには右サポート２４および左サポート２５から右ローラ３５および左ローラ３６に駆動力が伝達されることに基いて右ローラ３５および左ローラ３６が回転する。
【００１９】
後サポート２８には右ガイド部３８および左ガイド３９が形成されている。これら右ガイド部３８および左ガイド部３９は前後方向へ真直ぐに延びる垂直な板状をなすものであり、相手側に対して平行に配置されている。即ち、右ガイド部３８および左ガイド部３９は離間距離が一定に設定されている。
【００２０】
中仕切板３には、図５に示すように、セレクト室１２内に位置して右レール部４０および左レール部４１が形成されている。これら右レール部４０および左レール部４１は垂直な板状をなすものであり、後サポート２８の右ガイド部３８および左ガイド部３９は、図２の（ａ）および（ｂ）に示すように、セレクト室扉１７の閉鎖および開放に拘らず右レール部４０の右方および左レール部４１の左方に非接触状態で対向する。
【００２１】
右レール部４０および左レール部４１の双方は、図５に示すように、後方へ向うに従って相手側に接近する傾斜状をなすものであり、右レール部４０および左レール部４１間の離間距離は後方へ向うに従って狭まるように設定されている。即ち、右ガイド部３８および右レール部４０はセレクト室扉１７が前方へ移動するに従って離間距離が狭まるものであり、右ガイド部３８および右レール部４０間の離間距離は、図２の（ａ）に示すように、セレクト室扉１７の閉鎖状態で最大になり、図２の（ｂ）に示すように、セレクト室扉１７の開放状態で最小になる。左ガイド部３９および左レール部４１はセレクト室扉１７が前方へ移動するに従って離間距離が狭まるものであり、左ガイド部３９および左レール部４１間の離間距離はセレクト室扉１７の閉鎖状態で最大になり、セレクト室扉１７の開放状態で最小になる。
【００２２】
右レール部４０の前端部および左レール部４１の前端部には、図５に示すように、右テーパレール部４２および左テーパレール部４３が形成されている。これら右テーパレール部４２および左テーパレール部４３の双方は後方へ向うに従って相手側から遠ざかる傾斜状をなすものであり、右テーパレール部４２および左テーパレール部４３間の離間距離は後方へ向うに従って大きくなる。
【００２３】
右テーパレール部４２および左テーパレール部４３はセレクト室扉１７を着脱するときに後サポート２８の右ガイド部３８および左ガイド部３９が右方および左方から非接触状態で対向するものであり、セレクト室扉１７の着脱とは後サポート２８の右スライド部３３および左スライド部３４をガイド凹部２２内およびガイド凹部２３内から抜取ったり、ガイド凹部２２内およびガイド凹部２３内に挿入することを称している。即ち、セレクト室扉１７を開放位置から前方へ引張ることに基いてセレクト室１２から取外すときには右ガイド部３８および右テーパレール部４２間の離間距離が取外し動作の進行に応じて大きくなり、左ガイド部３９および左テーパレール部４３間の離間距離が取外し動作の進行に応じて大きくなる。また、セレクト室扉１７を装着するときには右ガイド部３８および右テーパレール部４２間の離間距離が装着動作の進行に応じて小さくなり、左ガイド部３９および左テーパレール部４３間の離間距離が装着動作の進行に応じて小さくなる。
【００２４】
上記実施例１によれば次の効果を奏する。
セレクト室扉１２の開閉に拘らずサポート３２の右ガイド部３８および左ガイド部３９を右レール部４０の右方および左レール部４１の左方に非接触状態で対向させた。このため、セレクト室扉１２を前方へ引出すときに引出操作の開始から終了に至るまで右ガイド部３８および左ガイド部３９が右レール部４０および左レール部４１に右方および左方から接触することができるので、セレクト室扉１２の左右方向のガタツキが引出操作の開始から終了に至るまで抑制される。しかも、セレクト室扉１２が前方へ移動することに応じて右ガイド部３８および右レール部４０間の離間寸法を狭め、左ガイド部３９および左レール部４１間の離間寸法を狭めた。このため、セレクト室扉１２を閉鎖状態から引出すときに操作方向が左右に微妙にずれた程度では右ガイド部３８が右レール部４０に接触せず、左ガイド部３９が左レール部４１に接触しないので、セレクト室扉１２の引出操作性の低下が防止される。
【００２５】
右レール部４０の前方および左レール部４１の前方に右テーパレール部４２および左テーパレール部４３を設けた。このため、セレクト室扉１２を抜取るときに右ガイド部３８および左ガイド部３９が右テーパレール部４２および左テーパレール部４３に右方および左方から接触することが可能になるので、セレクト室扉１２の左右方向のガタツキが抑制される。しかも、右ガイド部３８および右テーパレール部４２間の離間距離を抜取り動作の進行に応じて広げ、左ガイド部３９および左テーパレール部４３間の離間距離を抜取り動作の進行に応じて広げた。このため、セレクト室扉１２の抜取り途中で右ガイド部３８および左ガイド部３９が右テーパレール部４２および左テーパレール部４３に当り難くなるので、セレクト室扉１２の引掛かりが防止される。
【実施例２】
【００２６】
後サポート２８の右ガイド部３８には、図６に示すように、前端部および後端部に位置して半円形状の右突部５１が形成されている。これら各右突部５１はセレクト室扉１７の開閉に拘らず右レール部４０に右方から非接触状態で対向するものであり、右突部５１および右レール部４０間の離間距離はセレクト室扉１７が前方へ移動することに応じて狭まる。
【００２７】
後サポート２８の左ガイド部３９には前端部および後端部に位置して半円形状の左突部５２が形成されている。これら各左突部５２はセレクト室扉１７の開閉に拘らず左レール部４１に左方から非接触状態で対向するものであり、左突部５２および左レール部４１間の離間距離はセレクト室扉１７が前方へ移動することに応じて狭まる。
【００２８】
上記実施例２によれば、右ガイド部３８および左ガイド部３９に右突部５１および左突部５２を設けた。このため、セレクト室扉１７の引出し途中で操作方向が左右にずれたときには右ガイド部３８および左ガイド部３９が右レール４０および左レール４１に右突部５１および左突部５２で局部的に接触するようになるので、セレクト室扉１７が引掛かり難くなる。
【実施例３】
【００２９】
中仕切板３には、図７に示すように、セレクト室１２内に位置して突部６１が形成されている。この突部６１の右側面には傾斜状の右レール部４０および右テーパレール部４２が形成されており、後サポート２８の右ガイド部３８はセレクト室扉１７の開閉に拘らず右レール部４０に右方から非接触状態で対向する。この突部６１の左側面には傾斜状の左レール部４１および左テーパレール部４３が形成されており、後サポート２８の左ガイド部３９はセレクト室扉１７の開閉に拘らず左レール部４１に左方から非接触状態で対向する。
【００３０】
上記実施例１〜実施例３においては、セレクト室扉１７の開放状態で後サポート２８の右ガイド部３８および左ガイド部３９を右レール部４０および左レール部４１に右方および左方から非接触状態で対向させたが、これに限定されるものではなく、例えば接触状態で対向させても良い。即ち、セレクト室扉１７の開放状態で右ガイド部３８および右レール部４０間の離間距離を「０」に設定し、左ガイド部３９および左レール部４１間の離間距離を「０」に設定しても良い。
【００３１】
上記実施例１〜実施例３においては、本発明を製氷室扉１６およびセレクト室扉１７に適用したが、これに限定されるものではなく、例えば冷凍室扉１４に適用したり、野菜室扉１５に適用しても良い。
【図面の簡単な説明】
【００３２】
【図１】実施例１を示す図（冷蔵庫の外観を示す図）
【図２】（ａ）はセレクト室扉の取付構造を閉鎖状態で示す断面図、（ｂ）はセレクト室扉の取付構造を開放状態を示す断面図
【図３】セレクト室扉の取付構造を閉鎖状態で示す断面図
【図４】セレクト室扉の取付構造を抜取状態で示す斜視図
【図５】中仕切板を示す図
【図６】実施例２を示す図（左ガイド部および右ガイド部を示す図）
【図７】実施例３を示す図（中仕切板を示す図）
【符号の説明】
【００３３】
１１は製氷室（貯蔵室)、１２はセレクト室（貯蔵室）、１６は製氷室扉（扉）、１７はセレクト室扉（扉）、３１はバスケット（貯蔵容器）、３２はサポート、３８は右ガイド部、３９は左ガイド部、４０は右レール部、４１は左レール部を示している。
【図１】
2006177639.tif 000003
【図２】
2006177639.tif 000004
【図３】
2006177639.tif 000005
【図４】
2006177639.tif 000006
【図５】
2006177639.tif 000007
【図６】
2006177639.tif 000008
【図７】
2006177639.tif 000009